(57)【要約】【課題】屋内空間を構成する天井側に構造物が下方に張り出している場合において、設置位置の自由度が高い吊戸装置を提供する。【解決手段】天井Ｔ側に支持されたレール８と、レール８に沿って走行するローラユニット９Ａ〜９Ｃと、ローラユニット９Ａ〜９Ｃによりレール８に沿って移動可能に支持されるパネル体６と、を備え、パネル体６を移動させることで仕切部材２により仕切られた空間同士を連通する通路Ｅを開閉する吊戸装置１であって、ローラユニット９Ａ〜９Ｃは、パネル体６の幅方向のほぼ中央よりパネル体６の開方向側のみに固定されている。【選択図】図１
2019090214.tif 000002
【特許請求の範囲】
【請求項１】
天井側に支持されたレールと、該レールに沿って走行する吊具と、該吊具により前記レールに沿って移動可能に支持されるパネル体と、を備え、前記パネル体を移動させることで仕切部材により仕切られた空間同士を連通する通路を開閉する吊戸装置であって、
前記吊具は、前記パネル体の幅方向のほぼ中央より前記パネル体の開方向側のみに固定されていることを特徴とする吊戸装置。
【請求項２】
前記吊具は、前記パネル体の幅方向の開方向側に複数固定されていることを特徴とする請求項１に記載の吊戸装置。
【請求項３】
前記吊具は、前記パネル体の上端に固定されて上方に延びる支持部と、該支持部に軸支され、断面視略コ字状に形成された前記レールの内側に配置されたローラと、を備えて構成されていることを特徴とする請求項２に記載の吊戸装置。
【請求項４】
前記パネル体は、該パネル体の主面方向の傾動を規制する支持手段を備えることを特徴とする請求項１ないし３のいずれかに記載の吊戸装置。
【請求項５】
リフトレールと該リフトレールに沿って走行可能な走行装置とを備えた介護リフト装置における前記リフトレールは、前記通路の上方かつ前記レールに対して上面視交差するように設置されており、前記走行装置が前記レールを挟んで区画される空間の間で往復移動可能となっていることを特徴とする請求項１ないし４のいずれかに記載の吊戸装置。
【発明の詳細な説明】
【技術分野】
【０００１】
本発明は、空間を繋ぐ通路を開閉する吊戸装置に関する。
【背景技術】
【０００２】
屋内空間は、壁等の仕切部材で複数の部屋に区画され、これら仕切られた部屋同士を通路により連通することで人の出入りが可能とされているとともに、仕切部材に通路を開閉する扉を設けることで部屋内のプライバシーが高められている。扉の一例としては、パネル体をレールに吊支させ幅方向に開閉操作することで通路を形成可能な、いわゆる吊戸装置がある。例えば、特許文献１の吊戸装置は、天井側に設置されるレールと、レールに沿って移動可能な複数の吊具と、幅方向の両端側にて吊具により吊支される吊戸と、を備えている。また、特許文献１の吊戸装置は、空間を仕切る仕切部材である間仕切パネル装置の一部を構成しており、門型に形成された間仕切パネル装置の本体部分に形成された通路に設置され、該通路を開閉可能としている。レールは、パネル体の幅方向の倍の寸法となっており、パネル体は通路の開状態では、間仕切パネル装置の本体部分に重なって収納される。
【先行技術文献】
【特許文献】
【０００３】
【特許文献１】特許第３６６６４４３号公報（第２頁、第１図）
【発明の概要】
【発明が解決しようとする課題】
【０００４】
ところで、屋内空間を構成する天井側には、梁や配管や照明等の構造物が下方に張り出している場合があり、このような構造物が存在する位置では、仕切部材に切り欠きや孔を形成することで、構造物に干渉しないように仕切部材を設置することになる。このような構造物が存在する位置において、特許文献１の吊戸装置を設置する場合にあっては、パネル体を吊支する吊具がパネル体の幅方向の両端側に配置されていることから、パネル体を開操作する際には、閉側の吊具はレールにおける通路の上方の幅方向の領域の端から端まで移動することになる。そのため、パネル体の開閉操作時において吊具が構造物に干渉しないためには、レールにおける通路の上方に位置する幅方向の全領域に構造物が位置しないように吊戸装置を設置する必要があり、吊戸装置の設置位置が制限されてしまうという問題があった。
【０００５】
本発明は、このような問題点に着目してなされたもので、屋内空間を構成する天井側に構造物が下方に張り出している場合において、設置位置の自由度が高い吊戸装置を提供することを目的とする。
【課題を解決するための手段】
【０００６】
前記課題を解決するために、本発明の吊戸装置は、
天井側に支持されたレールと、該レールに沿って走行する吊具と、該吊具により前記レールに沿って移動可能に支持されるパネル体と、を備え、前記パネル体を移動させることで仕切部材により仕切られた空間同士を連通する通路を開閉する吊戸装置であって、
前記吊具は、前記パネル体の幅方向のほぼ中央より前記パネル体の開方向側のみに固定されていることを特徴としている。
この特徴によれば、パネル体をレールに吊支させる吊具が、パネル体の幅方向のほぼ中央よりパネル体の開方向側のみに固定され、開方向側には配置されていないため、パネル体の上方における吊具の移動領域を通路の幅寸法より小さくすることができ、天井側の下方に張り出す構造物に干渉することなく吊具が移動可能となり、吊戸装置の設置位置が制限され難く、設置位置の自由度を高めることができる。
【０００７】
前記吊具は、前記パネル体の幅方向の開方向側に複数固定されていることを特徴としている。
この特徴によれば、パネル体の荷重を分散しパネル体を開閉方向に滑らかに移動させることができる。
【０００８】
前記吊具は、前記パネル体の上端に固定されて上方に延びる支持部と、該支持部に軸支され、断面視略コ字状に形成された前記レールの内側に配置されたローラと、を備えて構成されていることを特徴としている。
この特徴によれば、パネル体の開方向側に配置されるローラユニットのローラが断面視略コ字状に形成されたレールの内側に下方から当接し、パネル体の中央側に配置されるローラユニットのローラがレールの内側に上方から当接することで、吊具がパネル体の開方向側に配置されることによる荷重バランスの偏りで生じるパネル体の傾動を規制でき、レールに対して安定して吊支させることができる。
【０００９】
前記パネル体は、該パネル体の主面方向の傾動を規制する支持手段を備えることを特徴としている。
この特徴によれば、支持手段により吊具がパネル体の開方向側に配置されることによる荷重バランスの偏りで生じるパネル体の傾動を規制し、レールに対して安定して吊支させることができる。
【００１０】
リフトレールと該リフトレールに沿って走行可能な走行装置とを備えた介護リフト装置における前記リフトレールは、前記通路の上方、かつ前記レールに対して上面視交差するように設置されており、前記走行装置が前記レールを挟んで区画される空間の間で往復移動可能となっていることを特徴としている。
この特徴によれば、レールに吊支されたパネル体の開閉方向の移動が、リフトレールに阻害されることがないばかりか、パネル体の閉状態では通路を通して走行装置を往復移動させることができる。
【図面の簡単な説明】
【００１１】
【図１】実施例１における吊戸装置を示す正面図である。
【図２】同じく（ａ）はパネル体により通路を閉じた状態を示し、（ｂ）はパネル体により通路を開けた状態を示す正面図である。
【図３】同じく吊戸装置を示す側断面図である。
【図４】同じくレールとリフトレールとの交差状態を示す見上げ図である。
【図５】同じくレールとリフトレールとの交差状態を示す平断面図である。
【図６】実施例２における吊戸装置のレール装置を示す一部を拡大した側断面図である。
【図７】同じくパネル体の傾動時の吊支状態を示すイメージ図である。
【図８】実施例２の変形例におけるパネル体の傾動時の吊支状態を示すイメージ図である。
【図９】実施例３におけるパネル体の傾動時の吊支状態を示すイメージ図である。
【図１０】実施例４における吊戸装置のレール装置を示す一部を拡大した側断面図である。
【図１１】同じく吊戸装置を示す正面図である。
【図１２】同じくパネル体の傾動時の吊支状態を示すイメージ図である。
【発明を実施するための形態】
【００１２】
本発明に係る吊戸装置を実施するための形態を実施例に基づいて以下に説明する。
【実施例１】
【００１３】
実施例に係る吊戸装置につき、図１から図５を参照して説明する。以下、図１の正面側を吊戸装置の前面側（正面側）として説明し、吊戸装置を正面側から見て左右を吊戸装置の幅方向（左右方向）として説明する。
【００１４】
本実施例において、吊戸装置１は、病院の病室や介護施設等の屋内空間に設置される。図１に示されるように、屋内空間は、壁等の仕切部材２で複数の部屋に区画され、吊戸装置１は仕切部材２に形成された開口部２ａを塞ぐように設置されており、後述するパネル体６を開操作することで、仕切部材２により仕切られた部屋（空間）Ｒ１，Ｒ２（図３参照）同士の間に人が通ることのできる通路Ｅ（図２参照）を形成できるようになっている。
【００１５】
吊戸装置１は、床Ｆから天井Ｔに亘り立設される支柱３，３と、支柱３，３の上端に架設される上枠材４と、上枠材４の正面側に固定されるレール装置５と、レール装置５に吊支されるパネル体６と、上枠材４の下方に固定された戸袋パネル１３と、を備えて構成されている。
【００１６】
図２及び図３に示されるように、レール装置５は上枠材４に固定されるハンガーチャンネル７を備えている。ハンガーチャンネル７は下部に水平片７ａを備え、この水平片７ａの上には断面視略Ｌ字状のレール８が敷設されている。図３に示されるように、上枠材４を構成する板材４ａの内側には、ハンガーチャンネル７を強固に固定するための補強材５５が配置されており、ハンガーチャンネル７と補強材５５とがネジ５６，５６により上枠材４を挟むように固定されている。
【００１７】
図３に示されるように、レール８における正面側の起立片８ｂの上端は、後述するローラ１０の溝部１０ａの円弧形状に対応する曲面形状に形成されて走行部８ａを構成している。走行部８ａの上には、パネル体６の上端に固定された吊具を構成する複数のローラユニット９Ａ〜９Ｃのローラ１０Ａ〜１０Ｃが位置しており、ローラユニット９Ａ〜９Ｃによりパネル体６が走行部８ａ上を幅方向に移動可能にレール８に吊支されている。レール８の開方向側の端部にはストッパ３５が固定されており、パネル体６は開方向ではストッパ３５により移動可能領域を規制され、閉方向では支柱３により移動可能領域を規制されている。
【００１８】
ローラユニット９Ａ〜９Ｃは、同様の構成であるため、ここではローラユニット９Ａのみ説明し、ローラユニット９Ｂ，９Ｃについての説明は省略する、ローラユニット９Ａは、パネル体６の上端６ａに固定されて上方に延びる支持部１１と、支持部１１に軸支されレール８の走行部８ａ上を走行可能なローラ１０Ａとから構成されている。ローラユニット９Ａのローラ１０Ａは、外周面に亘り内向きに凹む円弧形状の溝部１０ａが形成されており、溝部１０ａが走行部８ａを前後方向に挟むようにしてレール８上に位置する。
【００１９】
また、図では詳述しないが、レール８の走行部８ａは、パネル体６の閉方向に若干下向きに傾斜して設置されており、パネル体６が自重により閉方向に移動し、通路Ｅを閉じやすい構造となっている。図３に示されるように、パネル体６の下端には幅方向に渡って下向き略コ字状の溝６ｂが形成され、戸袋パネル１３の通路Ｅ側の下端に取付けられたガイドローラ５７に溝６ｂが遊嵌しており、パネル体６の前後方向の揺動が規制されている。
【００２０】
また、レール装置５を構成するハンガーチャンネル７とレール８とは、欄間パネル１２により被覆され、外部から視認できないようになっている。尚、ローラユニット９も同様に欄間パネル１２に被覆される。図２では欄間パネル１２を二点鎖線にて示している。
【００２１】
図２（ａ）に示されるように、戸袋パネル１３は、レール装置５の幅方向の全長のほぼ半分の幅寸法を備え、開口部２ａの幅方向の半分の領域を閉塞している。図２（ｂ）に示されるように、パネル体６は、戸袋パネル１３側の端部の一部が戸袋パネル１３に重なった状態で開口部２ａにおける戸袋パネル１３にて閉塞されていない残りの領域（通路Ｅ）を閉塞可能となっている。パネル体６は、ここでは詳述しないが、上下に延びる縦枠と左右に延びる横枠により構成された四方枠と四方枠に囲まれた透光性を有するガラス等で形成された板体とから主に構成されている。
【００２２】
仕切部材２により仕切られた部屋Ｒ１または部屋Ｒ２には、図４に示されるように、リフトレール１５がここでは図示しない固定手段により天井Ｔ（図１参照）に固定されており、リフトレール１５には、該リフトレール１５に沿って走行可能な走行装置１６が吊支され、これらリフトレール１５と走行装置１６とにより介護リフト装置１７が構成されている。尚、リフトレール１５は通路Ｅよりも上方に位置していれば、天井Ｔに直接固定される構成に限らず、例えば上枠材４に固定されてもよい。
【００２３】
介護リフト装置１７は、寝たきり患者や介護が必要とされる移動困難者を部屋Ｒ１と部屋Ｒ２との間において移動させる際に、その移動を補助する装置である。患者や移動困難者には図示しないスリングシートを装着し、スリングシートをスリング１８に吊り下げて使用する。介護リフト装置１７の走行装置１６は、ここでは詳述しないがリフトレール１５に沿って走行可能な吊支装置１９により吊支されている。また、走行装置１６は、スリング１８を巻き上げ可能となっており、走行装置１６でスリングシートを吊り上げ、患者や移動困難者の体重を天井Ｔ側のリフトレール１５で受けた状態で、患者や移動困難者の移動を容易に行えるようにしている。
【００２４】
図４及び図５に示されるように、リフトレール１５は、レール装置５と交差するように配置されている。詳しくは、リフトレール１５は、通路Ｅの幅方向の略中央を通って仕切部材２により仕切られた部屋Ｒ１，Ｒ２間に亘り敷設され、その下方の開口１５ａが通路Ｅに連通している。これによれば、パネル体６を戸袋パネル１３側に位置させた開状態において、走行装置１６を仕切られた部屋Ｒ１，Ｒ２間を行き来させることができる。
【００２５】
リフトレール１５は、欄間パネル１２に形成された下方に開放する切欠き１２ａと上枠材４に形成された下方に開放する切欠き４ｂ内に配置され、ハンガーチャンネル７とレール８は、通路Ｅ側の幅方向のハンガーチャンネル７の端部７ｃ及びレール８の端部８ｃがリフトレール１５に近接した位置まで延設されている。つまり、ハンガーチャンネル７とレール８は、戸袋パネル１３の上方からリフトレール１５に干渉しない通路の幅方向の中央寄りまでの幅寸法を有している。
【００２６】
図２に示されるように、パネル体６をレール８に吊支させるローラユニット９Ａ〜９Ｃは、パネル体６の幅方向の中央よりパネル体６の開方向側のみに固定されている。言い換えると、ローラユニット９Ａ〜９Ｃはパネル体６の開方向側には配置されていないため、パネル体６の上方におけるローラユニット９Ａ〜９Ｃの移動領域を通路の幅寸法より小さくすることができ、天井Ｔ側の下方に張り出す構造物（ここではリフトレール１５）に干渉することなくローラユニット９Ａ〜９Ｃが移動可能となり、吊戸装置１の設置位置が制限され難く、設置位置の自由度を高めることができる。
【００２７】
また、パネル体６は、パネル体６の幅方向の中央よりパネル体６の幅方向側に固定された複数のローラユニット９Ａ〜９Ｃにより吊支されている。そのため、パネル体６の荷重を複数のローラ１０Ａ〜１０Ｃに分散でき、通路Ｅの開閉時においてパネル体６を滑らかに移動させることができる。
【００２８】
また、パネル体６の幅方向の中央よりパネル体６の開方向側にローラユニット９Ａ〜９Ｃが偏って配置されることにより荷重バランスの偏りが生じるため、パネル体６の重量が大きい場合等には、最もパネル体６の中央側に配置されるローラユニット９Ｃを支点として開方向側が下がるようにパネル体６が傾動する虞がある。そのため、パネル体６の閉方向の下端に床Ｆに当接するローラや低摩擦部材等の滑動部材（支持手段）を取付けることで、パネル体６の傾動を規制できるようにしてもよい。尚、このような滑動部材を取付けた場合には、パネル体６が走行部８ａに形成された傾斜による自重により閉方向に移動する機能を失うことになるため、走行部８ａは水平となるように設置することが好ましい。
【実施例２】
【００２９】
次に、実施例２に係る吊戸装置につき、図６から図８を参照して説明する。尚、前記実施例と同一構成で重複する構成の説明を省略する。
【００３０】
図６に示されるように、レール装置２５におけるハンガーチャンネル２７の水平片２７ａの上には、断面視略Ｃ字状のレール２８が敷設されている。レール２８は、パネル体６の閉方向に若干下向傾斜する走行部２８ａを備えている。走行部２８ａは、上方に起立する起立片２８ｂの上端により構成されている。また、レール２８は起立片２８ｂと対向するように起立片２８ｂと対称形状の垂下片２８ｃが形成されており、垂下片２８ｃの下端が規制部２８ｄを構成している。
【００３１】
ローラユニット２９Ａのローラ２０Ａは、外周面に亘り内向きに凹む円弧形状の溝部２０ａが形成されており、ローラ２０Ａは走行部２８ａと規制部２８ｄとの間に位置し、これら走行部２８ａと規制部２８ｄとが溝部２０ａ内に位置することで、ローラ２０Ａのレール２８からの脱輪が防止されている。
【００３２】
このようにレール２８がローラ２０を上下に挟むような構造であるため、図７に示されるように、荷重バランスの偏りによるパネル体６の傾動時には、最もパネル体６の開方向側に配置されるローラユニット２９Ａのローラ２０Ａがレール２８の規制部２８ｄに当接し、最もパネル体６の閉方向側に配置されるローラユニット２９Ｃのローラ２０Ｃがレール２８の走行部２８ａに当接し、パネル体６の傾動が規制される。
【００３３】
尚、図８に示される変形例のように、最もパネル体６の開方向側に配置されるローラユニット２９Ａの支持部２１Ａにおけるローラ２０Ａの軸芯２２Ａとパネル体６の上端６ａとの上下方向の長さ寸法Ｌ１と、ローラユニット２９Ａに隣接するローラユニット２９Ｂの支持部２１Ｂにおけるローラ２０Ｂの軸芯２２Ｂとパネル体６の上端６ａとの上下方向の長さ寸法Ｌ１とが、最もパネル体６の閉方向側に配置されるローラユニット２９Ｃの支持部２１Ｃにおけるローラ２０Ｃの軸芯２２Ｃとパネル体６の上端６ａとの上下方向の長さ寸法Ｌ２に比べて長くなるように形成してもよい。
【００３４】
これによれば、荷重バランスの偏りによるパネル体６の傾斜の影響を受け易いパネル体６の閉方向側に配置されるローラユニット２９Ｃのローラ２０Ｃの軸芯２２Ｃとパネル体６の上端６ａとの上下方向の長さ寸法Ｌ２を前述した長さ寸法Ｌ１に比べて短く形成しておくことで、パネル体６の傾斜を少なくできる。尚、予想される荷重バランスの偏りによるパネル体６の傾斜度合いに対応するように前述の長さ寸法Ｌ１と長さ寸法Ｌ２を設定しておくことで、パネル体６の傾斜分を相殺し、パネル体６を水平に吊支させることができる。
【００３５】
また、パネル体６の傾動時におけるモーメントによる応力を複数のローラ２０Ａ，２０Ｂに分散させ、ローラユニット２９Ａ，２９Ｂやレール２８の破損を防止するとともに、摩擦を減らしてパネル体６をスムーズに移動可能とすることができる。
【００３６】
また、最もパネル体６の閉方向側に配置されるローラユニット２９Ｃのローラ２０Ｃと走行部２８ａとの接点である支点から、作用点となる最もパネル体６の開方向側に配置されるローラユニット２９Ａのローラ２０Ａと規制部２８ｄとの接点との距離が長いほど、パネル体６の傾動に伴うモーメントは小さくなるため、ローラユニット２９Ａのローラ２０Ａは、パネル体６の幅方向における端部に出来る限り近接して配置されることが好ましい。更に、最もパネル体６の閉方向側に配置されるローラユニット２９Ｃのローラ２０Ｃもまた、モーメントを小さくするために出来る限りパネル体６の幅方向の中央の近傍に配置されることが好ましい。
【実施例３】
【００３７】
次に、実施例３に係る吊戸装置につき、図９を参照して説明する。尚、前記実施例と同一構成で重複する構成の説明を省略する。
【００３８】
図９に示されるように、ローラユニット３９Ａは、支持部３１と、支持部３１に軸支され、支持部３１と相対的に回動可能な板状の回動部材３２と、回動部材３２の長手方向の両端にそれぞれ軸支されるローラ３０Ａ，３０Ａとから主に構成されている。ローラユニット３９Ｂも同様の構造である。
【００３９】
パネル体６が傾斜した際には、最もパネル体６の開方向側に配置されるローラユニット３９Ａにおいては、レール２８の規制部２８ｄに開方向側のローラ３０Ａが押し付けられる反力で回動部材３２が回動し、回動部材３２に軸支されたローラ３０Ａ，３０Ａがレール２８の規制部２８ｄにそれぞれ当接する。一方の最もパネル体６の中央側に配置されるローラユニット３９Ｂにおいては、レール２８の走行部２８ａに中央側のローラ３０Ｂが押し付けられる反力で回動部材３２が回動し、回動部材３２に軸支されたローラ３０Ｂ，３０Ｂがレール２８の走行部２８ａにそれぞれ当接する。
【００４０】
これによれば、パネル体６の傾斜に関わらず規制部２８ｄ及び走行部２８ａに、それぞれ複数のローラ３０Ａ，３０Ａ及びローラ３０Ｂ，３０Ｂを確実に当接させることができ、パネル体６の荷重やモーメントによる応力を分散した状態でパネル体６を吊支させることができるとともに、摩擦を減らしてパネル体６をスムーズに移動可能となる。
【実施例４】
【００４１】
次に、実施例４に係る吊戸装置につき、図１０から図１２を参照して説明する。尚、前記実施例と同一構成で重複する構成の説明を省略する。
【００４２】
図１０に示されるように、レール装置４５は、上枠材４に固定されるハンガーチャンネル４７と、ハンガーチャンネル４７に固定されて敷設される断面視略Ｃ字状のレール４８とから主に構成されている。
【００４３】
レール４８にパネル体６を吊支させる吊具４９は、パネル体６の上端６ａに固定されて上方に起立する支持部４１と、支持部４１の裏側に固定されてレール４８の内部に配置される可動レール部４２とを備える所謂サスペンションレールである。可動レール部４２の上下端には後方に突出する突出片４２ａ，４２ｂが延設されており、突出片４２ａ，４２ｂとレール４８の上下端から前方に突出する保持片４８ａ，４８ｂとの間に鋼球４４，４４，…が複数配置されている。尚、本実施例では、鋼球４４，４４，…は吊具４９を構成するものとして説明する。
【００４４】
可動レール部４２の突出片４２ａ，４２ｂと、レール４８の保持片４８ａ，４８ｂとは、それぞれ対向する面が鋼球４４の球面に対応する円弧形状となっており、鋼球４４を介して可動レール部４２とレール４８との前後方向の脱落が防止されている。レール４８の下方側の保持片４８ｂにおける鋼球４４との当接部分が走行部５０ａとして機能し、レールの上方側の保持片４８ａにおける鋼球４４との当接部分が規制部５０ｄとして機能する。
【００４５】
図１１に示されるように、可動レール部４２はパネル体６の開方向側の端部近傍からパネル体６の中央寄りまでの幅寸法を有している。
【００４６】
可動レール部４２の突出片４２ａ，４２ｂと、鋼球４４と、レール４８の保持片４８ａ，４８ｂとのそれぞれの対向箇所にはほぼ間隙がなく、常に当接した状態となっており、かつ可動レール部４２はパネル体６の開方向側の端部近傍からパネル体６の中央寄りまでの幅寸法を有しているため、荷重バランスの偏りによるパネル体６の傾動が効果的に防止される。
【００４７】
このようにレール４８が可動レール部４２を上下に挟むような構造であるため、図１２に示されるように、荷重バランスの偏りによるパネル体６の傾動時には、最もパネル体６の閉方向側に配置される鋼球４４Ａとレール４８の走行部５０ａとの間で荷重を受け、最もパネル体６の開方向側に配置される鋼球４４Ｂとレール４８の規制部５０ｄとの間にモーメントによる応力を受ける。これら最もパネル体６の閉方向側に配置される鋼球４４Ａと最もパネル体６の開方向側に配置される鋼球４４Ｂとに作用する応力は、幅方向に延びる一体構造の可動レール部４２の幅方向の全体に分散されるため、可動レール部４２の破損を防止することができる。また、可動レール部４２は上下に延びる板体から構成されているため、最もパネル体６の閉方向側に配置される鋼球４４Ａと最もパネル体６の開方向側に配置される鋼球４４Ｂとを介して上下方向に可動レール部４２に挟圧するように作用する力は、強度の高い可動レール部４２の上下方向で受けることができ、可動レール部４２の撓みが防止され、パネル体６を水平に吊支することができる。
【００４８】
以上、本発明の実施例を図面により説明してきたが、具体的な構成はこれら実施例に限られるものではなく、本発明の要旨を逸脱しない範囲における変更や追加があっても本発明に含まれる。
【００４９】
例えば、前記実施例では、パネル体６をレールに吊支する吊具として、ローラユニットやサスペンションレールとして説明したが、このような構成に限らず、レールにパネル体６を幅方向に移動可能に吊支できるものであればどのような構成であってもよい。
【００５０】
また、前記実施例において吊戸装置１は、支柱３，３と上枠材４とを有し、上枠材４の前面にレール装置を固定する構成で説明したが、これに限らず、例えばレールは開口が通路Ｅに露出するように天井Ｔに埋設されていてもよい。
【００５１】
また、パネル体６が開状態において仕切部材に重なるように収納される構成でもよく、この場合には吊戸装置１から戸袋パネル１３が省略される。
【００５２】
また、前記実施例では、天井Ｔ側の下方に張り出す構造物として、リフトレール１５を例に説明したが、これに限らず、天井Ｔ側の下方に梁や配管や照明等の構造物が張り出している場合にも利用できることはいうまでもなく、本発明に係る吊戸装置を用いることで、構造物に干渉しないようにパネル体６を移動可能に吊支することができる。
【００５３】
また、前記実施例においてパネル体６をレールに吊支する吊具は、パネル体６の幅方向のほぼ中央よりパネル体６の開方向側のみに固定されている構成としているが、屋内空間を構成する天井Ｔ側に構造物が下方に張り出している場合において、設置位置の自由度を高めるという目的から、吊具の幅方向における閉方向の端部がパネル体６の幅方向の中央の鉛直上方に若干重なる構成も含み得る。
【００５４】
また、前記実施例においてパネル体６の傾動を規制する支持手段として、パネル体６の閉方向の下端に床Ｆに当接するローラや低摩擦部材等の滑動部材を取り付ける構成を例に挙げたが、これに限らず、支持手段は、パネル体６の開方向の上端６ａからレールの下端に向けて突出するローラや低摩擦部材等の滑動部材等であってもよい。これによれば、床Ｆの凹凸の有無に関わらずパネル体６を水平に支持することができる。
【００５５】
また、吊戸装置は仕切部材により仕切られた空間同士を連通する通路を開閉するものであり、前記実施例のように部屋Ｒ１と部屋Ｒ２との間に用いられる態様に限らず、例えば部屋と廊下等とを仕切る仕切部材の開口を塞ぐように設置して利用することもできる。
【００５６】
また、前記実施例においては、リフトレール１５は通路Ｅの幅方向の中央からパネル体６の閉方向側に寄って配置される態様で説明したが、通路Ｅの幅方向中央に配置してもよく、この場合レール及びパネル体６をレールに吊支する吊具は、リフトレール１５の幅方向の寸法を考慮して、通路Ｅの閉状態における閉方向側の支柱３からレールの端部までの距離と、最も閉方向側の吊具の端部と当該支柱３との距離が設定される。
【符号の説明】
【００５７】
１                吊戸装置
２                仕切部材
２ａ              開口部
３，３            支柱
４                上枠材
５                レール装置
６                パネル体
６ａ              上端
７                ハンガーチャンネル
７ａ              水平片
８                レール
８ａ              走行部
９Ａ〜９Ｃ        ローラユニット
１０Ａ〜１０Ｃ    ローラ
１０ａ            溝部
１１              支持部
１２              欄間パネル
１３              戸袋パネル
１５              リフトレール
１５ａ            開口
１６              走行装置
１７              介護リフト装置
２０Ａ〜２０Ｃ    ローラ
２０ａ            溝部
２１Ａ〜２１Ｃ    支持部
２２Ａ〜２１Ｃ    軸芯
２５              レール装置
２７              ハンガーチャンネル
２７ａ            水平片
２８              レール
２８ａ            走行部
２８ｄ            規制部
２９Ａ〜２９Ｃ    ローラユニット
３０Ａ，３０Ａ    ローラ
３１              支持部
３２              回動部材
３９Ａ，３９Ｂ    ローラユニット
４１              支持部
４２              可動レール部
４２ａ，４２ｂ    突出片
４４              鋼球
４５              レール装置
４７              ハンガーチャンネル
４８              レール
４８ａ，４８ｂ    保持片
４９              吊具
５０ａ            走行部
５０ｄ            規制部
Ｅ                通路
Ｆ                床
Ｌ１，Ｌ２        長さ寸法
Ｒ１，Ｒ２        部屋
Ｔ                天井
【図１】
2019090214.tif 000003
【図２】
2019090214.tif 000004
【図３】
2019090214.tif 000005
【図４】
2019090214.tif 000006
【図５】
2019090214.tif 000007
【図６】
2019090214.tif 000008
【図７】
2019090214.tif 000009
【図８】
2019090214.tif 000010
【図９】
2019090214.tif 000011
【図１０】
2019090214.tif 000012
【図１１】
2019090214.tif 000013
【図１２】
2019090214.tif 000014